(57)【要約】【課題】左右一対のサイドブラシを車両の側面に押し付けて洗浄する洗車機において、サイドブラシを車両の側面に押し付ける前に車幅を検知して、サイドブラシを強く押し付け過ぎないようにして、ドアミラーが突出していても損傷せず、洗い残しも発生しない洗車機を提供する。【解決手段】ロッカーブラシ６とサイドブラシ５を備える洗車機において、ロッカーブラシ６の作動領域から被洗浄車両ＣＡの車幅を割り出して、サイドブラシ５の車両側面に対する移動量を規定する構成の洗車機ＷＡとした。【選択図】図１
2011020572.tif 000002
【特許請求の範囲】
【請求項１】
洗車機本体と被洗浄車両とを前後方向に相対移動させながら洗車を行う洗車機であって、
被洗浄車両の足回りを洗浄する左右一対のロッカーブラシと、被洗浄車両の側面を洗浄する左右一対のサイドブラシと、を備え、
前記ロッカーブラシの作動領域から被洗浄車両の車幅を割り出して、前記サイドブラシの車両側面に対する移動量を規定することを特徴とする洗車機。
【請求項２】
前記ロッカーブラシが、支軸を中心に回動するアームにブラシ部材を回転自在に吊り下げた回転アーム型とされていて、回転するブラシ部材を被洗浄車両に当接して洗浄を行うと共に前記アームの回転角度から被洗浄車両の車幅を割り出すことを特徴とする請求項１に記載の洗車機。
【請求項３】
前記サイドブラシが、被洗浄車両の上部の幅方向に延設される天井走行レールにそれぞれ走行体を介して開閉自在に吊り下げられて、前記走行体の移動に応じて被洗浄車両の側面に当接・離反すると共に、規定される前記移動量が、左右一対のサイドブラシを被洗浄車両の側面に当接させた後さらに所定距離移動させる移動量であって、前記サイドブラシを所定角度傾斜させて洗浄することを特徴とする請求項１または２に記載の洗車機。
【請求項４】
前記ロッカーブラシの被洗浄車両に対する当接力が、前記サイドブラシの被洗浄車両に対する当接力よりも弱いことを特徴とする請求項１から３のいずれかに記載の洗車機。
【発明の詳細な説明】
【技術分野】
【０００１】
本発明は、被洗浄車両と洗車機本体を前後方向に相対移動させながら洗車を行う洗車機に関し、特に、足回りを洗浄するロッカーブラシと側面を洗浄するサイドブラシを備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗浄工程においては、先ず、洗浄水を用いて汚れを落とし、次いで液剤を用いて洗浄し、さらに洗浄水を用いて水洗いする。この洗浄工程の後で、各送風ノズルから送風して乾燥する乾燥工程が行われる。洗車の際に用いる液剤としては、各種のシャンプーやワックスやコート類が用いられており、それぞれ専用の貯液タンクに貯留され、タンク内に挿入されたチューブを介して、洗車工程の処理に応じて噴霧され消費される。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図６を用いて説明する。この洗車機ＷＡは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴霧して、前記被洗浄車両の洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタートボタンを操作して、洗車操作を開始する。
【０００６】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部の足回りを洗浄する左右一対のロッカーブラシ６を備えている。
【０００７】
また、ブラッシングの際に使用する洗浄水や各種液剤を噴霧する各種ノズルや各種液剤を貯液する貯液タンクを備えている。各種液剤を貯液する複数の貯液タンクは、洗車機本体１に設けられるタンク収納部５０に収納されており、電磁式のバルブと副給水ホースを備える分配配管部５１を介して各ノズルに分配している。液剤や洗浄水を噴霧するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した洗車機ＷＡにおいては、被洗浄車両上部の幅方向に天井走行レールを設け、この走行レールに走行自在な走行体を左右一対設置し、この走行体のそれぞれにブラシを回転自在に吊り下げて、左右一対のサイドブラシ５を形成している。被洗浄車両ＣＡの側面を洗浄する際には、走行体を移動して被洗浄車両の側面に回転ブラシを当接させて洗浄を行う。このとき、吊り下げ構成のサイドブラシ５であれば、左右のサイドブラシ５を車両側面の当接状態からさらに閉方向に移動して、所定の角度傾かせてそれぞれ強く押し付けるように当接して洗浄を行い洗車効果を向上させることができる。さらに、左右一対のサイドブラシ５を車両側面に強く押し当てた位置で車幅を検知して、それ以降の洗車機の各操作を制御することが行われている。
【００１２】
例えば、サイドブラシの移動距離に基づいて車両の側面の位置を認識して、サイド送風ノズルの駆動領域を制御する洗車機（例えば、特許文献１参照）や、洗浄工程中に車両の両側面の距離を検出して、側面乾燥ノズル（サイド送風ノズル）を非接触状態で近接して乾燥を行う洗車機（例えば、特許文献２参照）が既に提案されている。
【先行技術文献】
【特許文献】
【００１３】
【特許文献１】特開平１−２７３７５２号公報
【特許文献２】特開平１−３０６３５０号公報
【発明の概要】
【発明が解決しようとする課題】
【００１４】
被洗浄車両の側面に左右一対のサイドブラシを当接させて洗浄を行う際に、この左右一対のサイドブラシの位置を検出して車幅を検知することは可能であり、この検知された車幅に応じてサイド送風ノズルの近接位置を制御することも可能である。
【００１５】
しかし、サイドブラシによる洗浄は、サイドブラシを車両の側面に押し付けた状態でブラシを回転して行う。また、このサイドブラシを車両の側面に当接させる際には、その車幅が未だ判っていない為にサイドブラシを車両側面に強く押し当てて車幅を検知する必要がある。このとき、車両のタイプや形状によってはサイドブラシ閉じ位置とドアミラー部分が重なってしまい、ドアミラーをたたんだ状態であってもサイドブラシがドアミラーに強く当り、ドアミラーを破損させる虞が生じる。
【００１６】
特に、ワゴンタイプやミニバンタイプなどのボンネットが無いか短い車両では、サイドブラシを一旦車両の側面に押し当てて車幅を検知する際にドアミラー部分に重なって問題となる。
【００１７】
また、ドアミラー部分を検知するセンサを用いて、このドアミラー部分を避けた位置からサイドブラシを押し付けて洗浄することも可能であるが、この方法ではセンサを設置するコストが掛かると共に、ドアミラー部分の洗浄が不十分となって洗い残しが発生するという問題が生じる。
【００１８】
そのために、サイドブラシをドアミラー部分に強く押し当てることなく車幅を検知すると共に、ドアミラーが突出していてもサイドブラシを車両の側面に確実に当接して洗い残しを発生せずに洗浄可能な洗車機が望まれる。
【００１９】
本発明は、上記問題点に鑑み、左右一対のサイドブラシを車両の側面に押し付けて洗浄する洗車機において、サイドブラシを車両の側面に押し付ける前に車幅を検知して、サイドブラシを強く押し付け過ぎないようにして、ドアミラーが突出していても損傷せず、洗い残しも発生しない洗車機を提供することを目的とする。
【課題を解決するための手段】
【００２０】
上記目的を達成するために本発明は、洗車機本体と被洗浄車両とを前後方向に相対移動させながら洗車を行う洗車機であって、被洗浄車両の足回りを洗浄する左右一対のロッカーブラシと、被洗浄車両の側面を洗浄する左右一対のサイドブラシと、を備え、前記ロッカーブラシの作動領域から被洗浄車両の車幅を割り出して、前記サイドブラシの車両側面に対する移動量を規定することを特徴としている。
【００２１】
この構成によると、最初にロッカーブラシを車両の足回りに当接するときに、このロッカーブラシの作動領域から車幅を割り出してサイドブラシの車両の側面に対する移動量を規定するので、サイドブラシを強く押し付け過ぎずに確実に洗浄可能な位置に移動する制御を行うことができ、車両の側面を損傷せず洗い残しを発生しない洗車機を得ることができる。
【００２２】
また本発明は、上記構成の洗車機において、前記ロッカーブラシが、支軸を中心に回動するアームにブラシ部材を回転自在に吊り下げた回動アーム型とされ、所定の付勢力を介して回動させると共に、前記アームの回動角度から被洗浄車両の車幅を割り出すことを特徴としている。この構成によると、所定の付勢力で回動する回動アーム型のロッカーブラシを車両の足回りや側面に当接させるので、車両の側面や突起物を損傷しない弱い当接力で確実に押し当てることができ、車幅を容易に割り出すことができる。
【００２３】
また本発明は、上記構成の洗車機において、前記サイドブラシが、被洗浄車両上部の幅方向に延設される天井走行レールにそれぞれ走行体を介して開閉自在に吊り下げられて、前記走行体の移動に応じて被洗浄車両の側面に当接・離反すると共に、規定される前記移動量が、左右一対のサイドブラシを被洗浄車両の側面に当接させた後さらに所定距離移動させる移動量であって、前記サイドブラシを所定角度傾斜させて洗浄することを特徴としている。この構成によると、サイドブラシを傾斜させて洗浄を行う際にも、サイドブラシの移動量を予め規定しているので、強く押し付け過ぎない構成となって、ドアミラーなどの突起物を損傷することなく確実に洗浄することができる。
【００２４】
また本発明は、上記構成の洗車機において、前記ロッカーブラシの被洗浄車両に対する当接力が、前記サイドブラシの被洗浄車両に対する当接力よりも弱いことを特徴としている。この構成によると、当接力が強いサイドブラシを用いて車幅を検知する必要がなく、当接力が弱いロッカーブラシの作動領域から車幅を割り出すので、車両の側面やドアミラーなどを損傷せずに車幅を容易に検知することができる。また、割り出された車幅から、当接力が強いサイドブラシの移動量を規定するので、サイドブラシを強く押し付け過ぎず確実に車両の側面に当接して洗い残しを発生せずに洗浄することができる。
【発明の効果】
【００２５】
本発明によれば、ロッカーブラシとサイドブラシを備える洗車機において、ロッカーブラシの作動領域から被洗浄車両の車幅を割り出して、サイドブラシの車両側面に対する移動量を規定する構成としたので、最初に車両の足回りに当接させるロッカーブラシの作動領域から車幅を割り出し、割り出された車幅に応じて、強く押し付け過ぎずに確実に洗浄可能な位置にサイドブラシを移動する制御を行い、車両の側面を損傷せず洗い残しを発生しない洗車機を得ることができる。
【図面の簡単な説明】
【００２６】
【図１】本発明に係る洗車機の洗浄開始の状態を示す概略平面図である。
【図２】ロッカーブラシの当接状態を示す概略説明図である。
【図３】要部拡大図であって、（ａ）はロッカーブラシの構成を示す概略平面図を示し、（ｂ）は概略側面図を示す。
【図４】サイドブラシの移動の経過を示す概略説明図である。
【図５】洗車機の概略正面図である。
【図６】洗車機の全体構成を示す概略説明図である。
【発明を実施するための形態】
【００２７】
以下に本発明の実施形態を図面を参照して説明する。また、同一構成部材については同一の符号を用い、詳細な説明は適宜省略する。
【００２８】
本実施形態の洗車機は、洗車機本体と被洗浄車両とを前後方向に相対移動させながら、被洗浄車両の洗車を行う洗車機であって、図５に示すように、車輪３を介してレール２上に沿って走行移動する門型の洗車機本体１に、被洗浄車両ＣＡの上面を洗浄するトップブラシ４と、被洗浄車両ＣＡの両側面と前後面を洗浄する左右一対のサイドブラシ５を備え、乾燥のために、ブロワ２０と該ブロワ２０からの送風を吹き付ける昇降自在なトップ送風ノズル２１と左右一対のサイド送風ノズル２２を備えた構成の洗車機ＷＡである。
【００２９】
また、被洗浄車両ＣＡの足回りを洗浄するロッカーブラシ６を備えている。８Ａは、車両のボンネット高さを検知するボンネット高さ検知センサであって、前述した被洗浄車両ＣＡの有無および車高を検知するセンサ８と同様に光電式もしくは超音波式の反射型センサを用いることができる。また、これらのセンサの配設位置を考慮して一個のセンサを兼用して被洗浄車両ＣＡの有無とボンネット高さを検知することも可能である。
【００３０】
また、ボンネット高さ検知センサ８Ａに替えて透過式光電センサからなる車形検出センサ（不図示）を用いることもできる。この場合には、洗車機本体の一方の側部の上下方向に投光器を併設し、これらの投光器に対向する他方の側部の上下方向に受光器を併設することで、洗浄位置に進入してくる被洗浄車両の車形およびボンネット高さを検知する。
【００３１】
次に、本実施形態のロッカーブラシ６について図１および図２を用いて説明する。
【００３２】
ロッカーブラシ６（６Ａ、６Ｂ）は、被洗浄車両ＣＡの足回りを洗浄するために車両の両側面の下部に設けられる左右一対の回転ブラシであって、それぞれが支軸６１を中心に回動するアーム６２にブラシ部材６０を回転自在に吊り下げた回動アーム型とされている。また、車両に近づく方向に所定の付勢力を付加している。
【００３３】
例えば、ロッカーブラシ６は、被洗浄車両ＣＡの右側に配設される右ロッカーブラシ６Ａと、左側に併設される左ロッカーブラシ６Ｂとを備えていて、それぞれのロッカーブラシ６Ａ、６Ｂをそれぞれ被洗浄車両ＣＡの側面下部に当接させている。そのために、これらのロッカーブラシ６Ａ、６Ｂの作動領域から被洗浄車両ＣＡの車幅を割り出すことができる。また、それぞれのロッカーブラシ６（６Ａ、６Ｂ）の作動領域は、それぞれのアーム６２の回動角度から検知可能であるので、本実施形態では、このアーム６２の回動角度から被洗浄車両ＣＡの車幅を割り出す構成としている。
【００３４】
例えば、図２に示すように、支軸６１を回動中心として回動するアーム６２の回転角度ＡＮからブラシの移動距離Ｌを検出して、被洗浄車両ＣＡの車幅を割り出すことができる。このように、左右一対のロッカーブラシ６（６Ａ、６Ｂ）の作動領域から被洗浄車両ＣＡの車幅を割り出すことができるので、この得られた車幅に応じた位置に左右一対のサイドブラシ５を移動させて、車両の側面に適当な当接力で押し当てることが可能となる。
【００３５】
サイドブラシ５は、図１に示す天井走行レール３０に回転自在に吊り下げられた左右一対のブラシ同士を近接する方向に閉移動し、離間する方向に開移動する開閉操作が行われる。また、この開閉操作を介して被洗浄車両ＣＡの側面に対して接離自在な構成とされている。
【００３６】
被洗浄車両ＣＡの洗浄が開始されると、洗車機本体１が図中の矢印Ｄ１方向に移動し、先ず、ロッカーブラシ６（６Ａ、６Ｂ）が矢印Ｄ３方向に回動操作されて被洗浄車両ＣＡの足回りに当接して足回り部の洗浄を行う。このとき、ロッカーブラシ６（６Ａ、６Ｂ）の作動領域から被洗浄車両ＣＡの車幅を割り出すことができる。
【００３７】
ロッカーブラシ６（６Ａ、６Ｂ）による足回りの洗浄の後に、サイドブラシ５による側面部の洗浄を行う。この際に、洗車機本体１の矢印Ｄ１方向の走行移動と共に、サイドブラシ５を図中の矢印Ｄ２方向に閉移動して、予めロッカーブラシ６の作動領域から割り出された車幅に応じて、所望される適当な位置に移動させておくことができる。
【００３８】
上記したように、サイドブラシ５を閉移動させる際に、予め被洗浄車両ＣＡの車幅が割り出されているので、適当な当接力で車両の側面に当接させることができる。そのために、強く押し付け過ぎることがなく、ドアミラーなどの突起物を損傷することもない。さらに、所望される適当な当接力を発揮して洗浄を行うので、ドアミラーをたたまず突出した状態であっても洗い残しを発生せずに確実に洗浄することが可能となる。
【００３９】
次に、図３を用いてロッカーブラシ６の構造についてさらに詳細に説明する。
【００４０】
図３（ａ）に示すように、ロッカーブラシ６（６Ａ、６Ｂ）は、洗車機本体１の固定壁１Ａに固着される固定部材に支軸６１を取り付け、この支軸６１を介してアーム６２を回動自在に支持する構成である。また、アーム６２にシリンダー取付部６４を設け、該シリンダー取付部６４に、固定壁１Ａに一端が支持されたシリンダー６５のシャフト６６を取り付けている。
【００４１】
そのために、シリンダー６５を駆動してシャフト６６を伸縮し、アーム６２を実線に示す待機位置と、破線に示す作用位置とに移動させることができる。このとき、シリンダー６５を、圧縮エアを供給・排出すると共に所定の付勢力を発揮するスプリング部材を用いてシャフト６６を伸縮させるエアシリンダ形式とし、圧縮エアを排出しスプリング部材を介して押し出し、圧縮エアを供給してスプリング部材の付勢力に抗してシャフト６６を引き込む構成としている。そのために、ロッカーブラシ６（６Ａ、６Ｂ）を車両に当接させる際には、スプリング部材が発揮する所定の付勢力でブラシ部材６０を車両に押し付けることができる。
【００４２】
また、図３（ｂ）に示すように、ブラシ部材６０は、例えば、駆動モータ６７と駆動力伝達部材６８を介して回転駆動される回転軸６３を備える回転ブラシとされている。６９は、例えば、ロータリーエンコーダであって、回動するアーム６２の回転角度ＡＮ（図２参照）を検知する角度センサである。また、ロータリーエンコーダ６９に代えて、その他の角度センサを用いてもよい。
【００４３】
上記のような構成とした右ロッカーブラシ６Ａと左ロッカーブラシ６Ｂを、共に被洗浄車両ＣＡの側面部に当接させたときに、それぞれが備えるロータリーエンコーダ６９を介してそれぞれの回転角度ＡＮを検知し、この検知された回転角度ＡＮからそれぞれのロッカーブラシの移動距離Ｌ（図２参照）を検出して、被洗浄車両ＣＡの車幅を割り出すことができる。また、割り出した車幅に応じた所定の位置に左右一対のサイドブラシ５を移動して、所定の当接力で車両の側面に当接させることができる。
【００４４】
例えば、図４に示すように、走行体３１を介して天井走行レール３０に吊り下げ構成されているサイドブラシ５を、開位置５ａから当接位置５ｂまで図中の矢印Ｄ２方向に閉移動し、さらに洗浄位置５ｃまで閉移動して所定角度傾け、少し押し付けた状態でブラシを回転して洗浄を行う。つまり、開位置５ａから洗浄位置５ｃまでの移動量ＬＳを予め規定しておき、この移動量の分サイドブラシ５を移動して所定角度傾かせて、車両を損傷しない安全な当接力で洗浄を行うことができる。
【００４５】
また、予め設定される洗車モードに応じてサイドブラシ５の移動量を段階的に規定しておいてもよく、強い当接力が必要な場合や、弱い当接力で洗浄したい場合などの複数段階の移動量ＬＳを予め規定しておくこともできる。
【００４６】
このように、走行体３１を、開位置３１Ａから当接位置３１Ｂを超えて洗浄位置３１Ｃまで走行移動させる際に、この洗浄位置３１Ｃを、予めロッカーブラシ６の作動領域から割り出された車幅に応じて予め規定される移動量ＬＳ移動させた位置とすることで、サイドブラシ５の車両側面に対する当接力を所定の安全な大きさに調整することができる。
【００４７】
上記の構成であれば、サイドブラシ５の閉じ位置とドアミラーＤＭ部分が重なっても、ドアミラーＤＭを損傷しない程度の押し付け力に予め定めておくことができ、サイドブラシを強く押し付け過ぎないようにして、ドアミラーが突出していても損傷せず、洗い残しも発生しない洗車機となって好ましい。
【００４８】
また、所定の付勢力で回動する回動アーム型のロッカーブラシ６を車両の足回りや側面に当接させるので、車両の側面や突起物を損傷しない弱い当接力で確実に押し当てることができる。そのために、このロッカーブラシ６を車両の側面に突出しているドアミラーや装備品などの突出物に押し当てても、例えばスプリング部材が押し込まれて退避可能となり所定の付勢力以上の押付力が付加されない構成となって、突出物に損傷を与えることがない。このように、洗浄工程の初期の段階でロッカーブラシ６を車両の足回りや側面に確実に当接させて、車両の側面や突出物に損傷を与えずに車幅を容易に割り出すことができる。
【００４９】
サイドブラシ５は、被洗浄車両ＣＡの上部の幅方向に延設される天井走行レールに左右一対のブラシを吊り下げて閉方向に移動して車両の側面に押し付けて回転して洗浄を行うので、回動アーム型とされ所定の付勢力で車両に当接するロッカーブラシ６の当接力よりも強い力で押し付けられる構成である。
【００５０】
また、当接力が強いサイドブラシを用いずに当接力が弱いロッカーブラシの作動領域から車幅を割り出ので、車両側面やドアミラーなどを損傷せずに車幅を容易に検知可能となる。さらに、検知された車幅に応じた安全な位置にサイドブラシを移動して洗浄するので、サイドブラシを確実に車両の側面に当接して洗い残しを発生せずに洗浄することができる。
【００５１】
上記したように、本実施形態に係る洗車機によれば、ロッカーブラシの作動領域から被洗浄車両の車幅を割り出して、サイドブラシの車両側面に対する移動量を規定する構成としたので、割り出した車幅に応じて、サイドブラシを車両の側面に対して強く押し付け過ぎない安全な当接力で当接させて確実に洗浄して洗い残しを発生しない洗車機を得ることができる。
【００５２】
また、所定の付勢力で回動する回動アーム型とされるロッカーブラシを用いて車幅を検知する構成としているので、車両を損傷しない程度の弱い当接力でロッカーブラシを押し当てて車幅を検知することができる。
【００５３】
さらに、車幅を検知するのにロッカーブラシのアームの回転角度を検知するセンサを用いるので、ロータリーエンコーダなどの比較的安価なセンサを用いることができ、車幅検知のコストを下げることができる。
【産業上の利用可能性】
【００５４】
本発明に係る洗車機は、被洗浄車両の足回りを洗浄する左右一対のロッカーブラシと、被洗浄車両の側面を洗浄する左右一対のサイドブラシを備えて、比較的弱い当接力で車両に当接するロッカーブラシと、比較的強い当接力で車両に当接するサイドブラシを用いて車両の洗浄を行う洗車機に好適に適用される。
【符号の説明】
【００５５】
１    洗車機本体
２    レール
３    車輪
５    サイドブラシ
６    ロッカーブラシ
７    操作パネル
７Ａ    リモートパネル
６０    ブラシ部材
６１    支軸
６２    アーム
ＣＡ    被洗浄車両
ＷＡ    洗車機
【図１】
2011020572.tif 000003
【図２】
2011020572.tif 000004
【図３】
2011020572.tif 000005
【図４】
2011020572.tif 000006
【図５】
2011020572.tif 000007
【図６】
2011020572.tif 000008